(57)【特許請求の範囲】
【請求項１】
上下方向に延びる複数本の縦枠間に、横方向に延びる非透光性の複数本の遮視部材が、上下方向に所定の間隔で架設されて成り、上下に互いに隣接する遮視部材間に形成された空間を通じて正面側の空間と背面側の空間とを連通させる通風部を備えた目隠し構造体であって、
上記遮視部材は、正面側に設けられた正面板と、背面側に該正面板より下方に偏倚させて設けられた背面板と、これら正面板と背面板とを互いに連結した連結板とから構成されていて、
上下に互いに隣接する遮視部材としての上側遮視部材と下側遮視部材との間には、不透明で透光性を有し上記横方向に延びる透光板が、上側遮視部材における上記正面板の下端部及び上記背面板の下端部に接する第１仮想平面と、下側遮視部材における上記正面板の上端部及び上記背面板の上端部に接する第２仮想平面との双方に交差するように配置されている、
ことを特徴とする目隠し構造体。
【請求項２】
上記上側遮視部材の背面板の下端部が、上記下側遮視部材の正面板の上端部と略同じ高さか、または該正面板の上端部よりも下方に位置している、
ことを特徴とする請求項１に記載の目隠し構造体。
【請求項３】
上記透光板が、その上端部において、上記上側遮視部材の背面板の下端部に固定されており、
上記通風部が、該透光板の下端部と上記下側遮視部材との間に形成された隙間によって形成されている、
ことを特徴とする請求項１または２に記載の目隠し構造体。
【請求項４】
上記透光板の下端部が、正面側に向かって屈曲した屈曲部によって形成されている、
ことを特徴とする請求項３に記載の目隠し構造体。
【請求項５】
上記透光板が正面側の第１端部と背面側の第２端部とを有していて、該第１端部が上記下側遮視部材の正面板の上端部に固定され、該第２端部が上記上側遮視部材の背面板の下端部に固定されており、
上記通風部が、上記透光板または上記連結板の何れかに貫設された通風孔によって形成されている、
ことを特徴とする請求項１または２に記載の目隠し構造体。
【発明の詳細な説明】
【技術分野】
【０００１】
本発明は、建物の開口部等、建物廻りで人の視線を遮りたいところに設置する目隠し構造体に関する。
【背景技術】
【０００２】
従来から、特許文献１に示すように、所定間隔を設けて配置された複数本の支柱間に、透光性を有する合成樹脂製の複数枚の羽根を一定間隔で架設して成る目隠しフェンスが知られている。また、特許文献２には、鋸歯状断面の板材によって構成され、該板材が、複数個の開口のある斜面と、開口の無い斜面とを交互に連続して連結することにより形成されている目隠しパネルが開示されている。
【０００３】
しかしながら、上記特許文献１の目隠しフェンスは、通風性を確保するために設けられた羽根間の隙間を通じて内部を覗き見ることが可能であるため、必ずしも十分な目隠し性が確保されているとは言い難い。
その一方で、上記特許文献２の目隠しパネルは、通風に用いられる開口からしか光を採り入れることができないため、採光性について十分に配慮が為されているとは言い難い。
【先行技術文献】
【特許文献】
【０００４】
【特許文献１】特開２００４−３６２９８号公報
【特許文献２】特開２００６−９０１１６号公報
【発明の概要】
【発明が解決しようとする課題】
【０００５】
本発明は上記事情に鑑みなされたもので、その技術的課題は、十分な通風性を確保しながらも、目隠し性や採光性にも優れた目隠し構造体を提供することにある。
【課題を解決するための手段】
【０００６】
上記課題を解決するため、本発明によれば、上下方向に延びる複数本の縦枠間に、横方向に延びる非透光性の複数本の遮視部材が、上下方向に所定の間隔で架設されて成り、上下に互いに隣接する遮視部材間に形成された空間を通じて正面側の空間と背面側の空間とを連通させる通風部を備えた目隠し構造体であって、上記遮視部材は、正面側に設けられた正面板と、背面側に該正面板より下方に偏倚させて設けられた背面板と、これら正面板と背面板とを互いに連結した連結板とから構成されていて、上下に互いに隣接する遮視部材としての上側遮視部材と下側遮視部材との間には、不透明で透光性を有し上記横方向に延びる透光板が、上側遮視部材における上記正面板の下端部及び上記背面板の下端部に接する第１仮想平面と、下側遮視部材における上記正面板の上端部及び上記背面板の上端部に接する第２仮想平面との双方に交差するように配置されている、ことを特徴とする。
この場合において、上記上側遮視部材の背面板の下端部が、上記下側遮視部材の正面板の上端部と略同じ高さか、または該正面板の上端部よりも下方に位置している、ことが好ましい。
【０００７】
本発明に係る目隠し構造体の実施形態においては、上記透光板が、その上端部において、上記上側遮視部材の背面板の下端部に固定されており、上記通風部が、該透光板の下端部と上記下側遮視部材との間に形成された隙間によって形成されていることが好ましい。
この場合において、上記透光板の下端部が、正面側に向かって屈曲した屈曲部によって形成されていてもよい。
【０００８】
また、本発明に係る目隠し構造体の別の実施形態においては、上記透光板が正面側の第１端部と背面側の第２端部とを有していて、該第１端部が上記下側遮視部材の正面板の上端部に固定され、該第２端部が上記上側遮視部材の背面板の下端部に固定されており、上記通風部が、上記透光板または上記連結板の何れかに貫設された通風孔によって形成されていることが好ましい。
【発明の効果】
【０００９】
本発明に係る目隠し構造体によれば、通風部を通じて通風性を確保することができるばかりでなく、上側遮視部材と下側遮視部材との間に、不透明で透光性を有し水平方向に延びる透光板が、上側遮視部材における正面板の下端部及び背面板の下端部に接する第１仮想平面と、下側遮視部材における正面板の上端部及び背面側の上端部に接する第２仮想平面との双方に交差するように配置されているため、水平方向からの視線と同時に斜め上方から下方に見下ろす視線も遮ることができ、しかも、透光板を通じて光を背面側に採り入れることも可能となる。
【図面の簡単な説明】
【００１０】
【図１】本発明の第１実施形態に係る目隠し構造体の斜視図である。
【図２】図１に示す目隠し構造体の縦断面図である。
【図３】遮視部材及び透光板の枠への取り付けを説明するための部分斜視図である。
【図４】本発明の第２実施形態に係る目隠し構造体の縦断面図である。
【図５】図４に示す遮視部材の接続面の平面図である。
【図６】本発明の第３実施形態に係る目隠し構造体の縦断面図である。
【発明を実施するための形態】
【００１１】
図１から図３に基づいて、本発明に係る目隠し構造体の第１実施形態について説明する。この目隠し構造体１Ａは、建物の開口部等、建物廻りで人の視線を遮りたいところに設置するものであるが、以下においては、図示しない窓の外側に設置することで、建物内部の目隠し性、採光性及び通風性を確保することが可能な目隠し構造体１Ａについて説明する。
【００１２】
図１，図２に示すように、第１実施形態の目隠し構造体１Ａは、図示しない窓の外側に設置される目隠しパネルであって、枠部材２に複数本の遮視部材１０を取り付け、これらの遮視部材１０の下側に透光板３０を取り付けることによって形成されている。この枠部材２は、上下方向（Ｙ軸方向）に平行を成して延びる左右一対の縦枠３，３と、水平方向即ち横方向（Ｚ軸方向）に平行を成して延びる上下一対の横枠４，５とから構成されており、厚さ方向すなわち建物の内外方向（Ｘ軸方向）に所定の厚さを有している。そして、これらの縦枠３，３の間には、互いに平行を成して水平方向（横方向）に延びる複数本の遮視部材１０が、互いの間に所定の隙間を介在させて上下方向に一定の間隔Ｗ１で架設されており、それにより、上下に互いに隣接する遮視部材１０，１０間には空間６Ａが形成されている。
【００１３】
上記遮視部材１０は、不透明で非透光性の材料、例えばアルミニウム等の金属によって一体に形成されたもので、上記枠部材２の正面側（Ｘ軸奥側方向）に設けられた正面板１１と、同じく背面側（Ｘ軸手前側方向）に正面板１１よりも下方に偏倚させて設けられた背面板１２と、正面板１１の下端部１１ｂと背面板１２の上端部１２ａとを互いに連結した連結板１３とから構成されている。上記正面板１１及び背面板１２は薄板状で、それらの両面は、枠部材２の厚さ方向を向いて上下方向（Ｙ軸方向）に延びている。一方、上記連結板１３は薄板から成っていて、正面側から背面側に向けて斜め下方に傾斜しており、正面板１１と連結板１３が成す角度θ１と、背面板１２と連結板１３が成す角度θ２とが、ほぼ等しい鈍角となるように形成されている。さらに、上下に互いに隣接する遮視部材１０，１０間においては、上側遮視部材１０の背面板１２の下端部１２ｂが、下側遮視部材１０の正面板１１の上端部１１ａと略同じ高さに位置している。ただし、上側遮視部材１０の背面板１２の下端部１２ｂは、下側遮視部材１０の正面板１１の上端部１１ａよりも下側に位置してもよい。
【００１４】
なお、図２に示すように、上記連結板１３は、短手方向（幅方向）に基端と先端を有して基端が正面板１１に連接された薄板状の第１連結片１６と、この第１連結片１６より幅狭で、同じく短手方向に基端と先端を有して基端が背面板１２に連接された薄板状の第２連結片１８と、断面略Ｃ字形で上記第１連結片１６の基端側に開口して該連結片１６の長手に沿って延びるネジ止め用の第１ネジ受け１７と、同じく断面略Ｃ字形で上記第２連結片１８の基端側に開口して該連結片１８の長手に沿って延びるネジ止め用の第２ネジ受け１９とによって形成されている。上記第１ネジ受け１７は、上記第１連結片１６の短手方向の中間位置においてその上面に固定され、上記第２ネジ受け１９は、該第１連結片１６の先端においてその上面に固定されている。さらに、上記第２ネジ受け１９は、上記第２連結片１８の先端においてもその下面に固定されており、その結果、第１連結片１６及び第２連結片１８の先端が、該第２ネジ受け１９を挟持した状態で互いに連接されている。
【００１５】
上記透光板３０は、不透明で透光性を有する材料、例えばポリカーボネート等から成る白色の透光性合成樹脂によって、遮視部材１０と略同じ板厚の薄板状に形成されたもので、遮視性を確保しつつも、正面側から入射された光を拡散させて背面側に採り入れることができるようになっている。この透光板３０の上端部３０ａには、背面板１２の下端部１２ｂを形成する鉤状の係止片１４に対して係合させるための係止溝３４が設けられている。そして、この係止溝３４に上記係止片１４を係合させることにより、上記透光板３０が、背面板１２の下端部１２ｂに係止されて該下端部１２ｂから下方に向けて固定される。また、この透光板３０の下端部は、正面板１１に向かって鈍角を成して屈曲した屈曲部３１によって形成されており、該屈曲部３１の先端には、中空の筒状に形成されたネジ止め用の第３ネジ受け３３が、透光板３０の長手に沿って延設されている。
【００１６】
さらに、上下に互いに隣接する遮視部材１０，１０間において、上記透光板３０は、上側遮視部材１０の正面板１１の下端部１１ｂ及び背面板１２の下端部１２ｂに接する第１仮想平面Ｐ１と、下側遮視部材１０の正面板１１の上端部１１ａ及び背面板１２の上端部１２ａに接する第２仮想平面Ｐ２との双方に交差するように配置されている。すなわち、上記透光板３０は、上記第１仮想平面Ｐ１と第２仮想平面Ｐ２との間の全体を横切るように配置されており、そのため、正面側斜め上方から背面側への視線を全体的に遮ることができるようになっている。また、上側遮視部材１０の背面板１２に固定されている透光板３０の屈曲部３１の先端と、下側遮視部材１０の連結板１３との間には、左右方向に延びる一定幅の隙間３５が形成されている。そして、上述した空間６Ａとこの隙間３５とによって、正面側の空間と背面側の空間とを連通させる通風部９Ａが形成される。
【００１７】
ここで、上記遮視部材１０及び透光板３０の縦枠３，３に対する取り付けは、図３に示すように、雄ネジ８を縦枠３，３に形成されている第１，第２，及び第３貫通孔７ａ，７ｂ，７ｃに挿通させて、上記第１，第２及び第３ネジ受け１７，１９，３３の中空の内部に螺合することで行われる。このとき、正面板１１は、枠部材２によって囲まれた正面側の第１面３ａとほぼ面一になるように、縦枠３，３に取り付けられ、背面板１２は、枠部材２によって囲まれた背面側の第２面３ｂとほぼ面一になるように、縦枠３，３に取り付けられる。このようにして、目隠し構造体１Ａは、正面側からは水平方向に延びる複数の遮視部材１０が上下方向に並列に並び、背面側からは遮視部材１０と透光板３０とが上下方向に交互に並んでいるように、縦枠３，３に取り付けられる。
【００１８】
以上のように、第１実施形態においては、空間６Ａと隙間３５とから成る通風部９Ａによって通風性を確保することができるばかりでなく、不透明で透光性を有し水平方向即ち横方向に延びる透光板３０が、上側遮視部材１０における正面板１１の下端部１１ｂ及び背面板１２の下端部１２ｂに接する第１仮想平面Ｐ１と、下側遮視部材１０における正面板１１の上端部１１ａ及び背面板１２の上端部１２ａに接する第２仮想平面Ｐ２との双方に交差するように配置されているため、正面側水平方向からの視線と同時に、正面側斜め上方から下方に見下ろす視線をも遮ることができ、しかも、正面側からの光を透光板３０を通じて背面側に採り入れることも可能となる。
【００１９】
次に、図４，図５に基づいて、本発明に係る目隠し構造体の第２実施形態について説明する。ただし、ここでは説明の重複を避けるため、上記第１実施形態と同じ構成部分及びその機能や作用効果については、同じ名称を付すか又は図面上に同じ符号を付して、詳細な説明を省略する。
【００２０】
この目隠し構造体１Ｂは、上記第１実施形態と同様に、枠部材２を備えて窓の外側に設置される目隠しパネルであって、上下に互いに隣接する遮視部材４０，４０における下側遮視部材４０の上端部４１ａと上側遮視部材４０の下端部４２ｂとに、透光板５０の短手方向（幅方向）における第１端部及び第２端部をそれぞれ取り付けて、上側遮視部材４０と下側遮視部材４０とを相互に連結することにより形成されている。この遮視部材４０は、正面板４１、背面板４２、及びこれら正面板４１と背面板４２とを連結する連結板４３とから成り、正面板４１の内面側の上端部４１ａには、上方に開口する第１嵌合溝４５が形成されている。また、背面板４２の内面側の下端部４２ｂには、下方に開口する第２嵌合溝４７が形成されている。
【００２１】
そして、上記枠部材２の縦枠３，３間には、互いに平行を成して水平方向に延びる複数本の遮視部材４０が、互いの間に所定の隙間を介在させて上下方向に一定の間隔Ｗ２で架設されており、それにより、互いに上下に隣接する遮視部材４０，４０間に空間６Ｂが形成されている。さらに、上下に互いに隣接する遮視部材１０，１０間においては、上記上側遮視部材４０の背面板４２の下端部４２ｂは、下側遮視部材４０の正面板４１の上端部４１ａと略同じ高さに位置している。ただし、上側遮視部材４０の背面板４２の下端部４２ｂは、下側遮視部材４０の正面板４１の上端部４１ａよりも下側に位置してもよい。
【００２２】
上記遮視部材４０においては、背面板４２の上端部４２ａが正面板４１の下端部４１ｂよりも上方に位置するように設けられており、正面板４１の下端と背面板４２の上端とを連結する連結板４３が、正面側から背面側に向けて上方に傾斜するように、縦枠３，３間に架設されている。そして、正面板４１と連結板４３が成す角度θ３と、背面板４２と連結板４３が成す角度θ４とが、ほぼ等しい鋭角となっている。また、連結板４３には、その長手方向に長孔状に形成された複数の通風孔４８が、該長手方向に沿って２列を成して互い違いに（すなわち、千鳥状に）貫設されている。
【００２３】
上記透光板５０は、その短手方向において、上記正面板４１及び背面板４２と略直角を成して水平に延びており、その短手方向の第１端及び第２端には、下方向及び上方向にそれぞれ折曲された第１折曲片５１及び第２折曲片５２が形成されている。そして、この透光板５０の第１折曲片５１及び第２折曲片５２を、上下に互いに隣接する遮視部材４０，４０において、下側遮視部材４０の上記第１嵌合溝４５及び上側遮視部材４０の上記第２嵌合溝４７にそれぞれ嵌合することによって、これら遮視部材４０，４０に取り付けられている。その結果、縦枠３，３間に架設された複数本の遮視部材４０の全てが、透光板５０によって互いに連結された状態となっている。このように、本実施形態においては、上側遮視部材４０の背面板４２の下端部４２ｂと下側遮視部材４０の正面板４１の上端部４１ａとが透光板５０によって連結されているため、この透光板５０は、当然に、上側遮視部材４０の正面板４１の下端部４１ｂ及び背面板４２の下端部４２ｂに接する第１仮想平面Ｐ３と、下側遮視部材４０の正面板４１の上端部４１ａ及び背面板４２の上端部４２ａに接する第２仮想平面Ｐ４との双方に交差していることとなる。
【００２４】
ところで、本実施形態においては、上下に互いに隣接する遮視部材４０，４０間に形成された空間６Ｂは、透光板５０によって、上側に位置する第１空間６ｄと下側に位置する第２空間６ｅとに分割されて遮閉されている。そこで、上述のように、連結板４３に通風孔４８を貫設することによって、第１空間６ｄを上側に隣接する空間６Ｂの第２空間６ｅと連通させている。すなわち、本実施形態においては、第１空間６ｄ、通風孔４８、及びこの第１空間６ｄの上側に隣接する第２空間６ｅが、通風部９Ｂを形成している。
【００２５】
このように、本実施形態においては、第１空間６ｄ、通風孔４８、及びこの第１空間６ｄの上側に隣接する第２空間６ｅによって通風部９Ｂが形成されているため、正面側の空間と背面側の空間との間において、十分な通風性が確保される。また、上下に互いに隣接する遮視部材４０，４０において、上側遮視部材４０の背面板４２の下端部４２ｂと下側遮視部材４０の正面板４１の上端部４１ａとが透光板５０によって連結されていて、透光板と遮視部材４０との間に隙間が形成されていないため、正面側水平方向からの視線と同時に、正面側斜め上方から下方に見下ろす視線も遮ることができ、しかも、正面側からの光を透光板５０を通じて背面側に採り入れることも可能となる。
【００２６】
続いて、図６に基づいて、本発明に係る目隠し構造体の第３実施形態について説明する。ただし、ここでも説明の重複を避けるため、上記第１実施形態と同じ構成部分及びその機能や作用効果については、同じ名称を付すか又は図面上に同じ符号を付して、詳細な説明は省略することとする。
【００２７】
この目隠し構造体１Ｃも、上記各実施形態と同様に、枠部材２を備えて窓の外側に設置される目隠しパネルであって、この枠部材２の縦枠３，３間に、互いに平行を成して水平方向に延びる複数本の遮視部材６０が、互いの間に所定の隙間を介在させて上下方向に一定の間隔Ｗ３で架設されており、それにより、上下に互いに隣接する遮視部材６０，６０の間に空間６Ｃが形成されている。また、この目隠しパネル１Ｃは、上記第２実施形態と同様に、上下に互いに隣接する遮視部材６０，６０における下側遮視部材６０の上端部６１ａと上側遮視部材６０の下端部６２ｂとに、透光板７０の短手方向（幅方向）における第１端部及び第２端部をそれぞれ取り付けて、上側遮視部材６０と下側遮視部材６０とを相互に連結することにより形成されている。
【００２８】
上記遮視部材６０は、正面板６１、背面板６２、及び正面板６１と背面板６２とを連結する連結板６３とから成り、正面板６１の内面側の上端部６１ａには、背面側に向けて水平に開口する第１嵌合溝６５が形成されている。また、背面板６２の内面側の下端部６２ｂには、正面側に向けて水平に開口する第２嵌合溝６７が形成されている。さらに、上下に互いに隣接する遮視部材６０，６０間においては、上記上側遮視部材６０の背面板６２の下端部６２ｂは、下側遮視部材６０の正面板６１の上端部６１ａと略同じ高さに位置している。ただし、上側遮視部材６０の背面板６２の下端部６２ｂは、下側遮視部材６０の正面板６１の上端部６１ａよりも下側に位置してもよい。
【００２９】
上記遮視部材６０においては、背面板６２の上端部６２ａが正面板６１の下端部６１ｂよりも下方に位置するように設けられており、正面板６１の下端と背面板６２の上端とを連結する連結板６３が、正面側から背面側に向けて下方に傾斜するように、縦枠３，３間に架設されている。そして、正面板６１と連結板６３が成す角度θ５と、背面板６２と連結板６３が成す角度θ６とが、ほぼ等しい鈍角となっている。なお、正面板６１と連結板６３との接続部の内面側と、背面板６２と連結板６３との接続部の内面側には、断面略Ｃ字形の第１ネジ受け６８と断面略Ｃ字形の第２ネジ受け６９とがそれぞれ形成されている。そして、第１ネジ受け６８は背面側斜め上方に向けて開口し、第２ネジ受け６９は正面側斜め下方に向けて開口している。
【００３０】
上記透光板７０は、上記第２実施形態と同様に、その短手方向において、上記正面板６１及び背面板６２と略直角を成して水平に延びており、短手方向の第１端部及び第２端部を、上下に互いに隣接する遮視部材６０，６０において、下側遮視部材６０の上記第１嵌合溝６５及び上側遮視部材６０の上記第２嵌合溝６７にそれぞれ嵌合することによって、これら遮視部材６０，６０に取り付けられている。その結果、縦枠３，３間に架設された複数本の遮視部材６０の全てが、透光板７０によって互いに連結された状態となっている。このように、本実施形態においても、上側遮視部材６０の背面板６２の下端部４２ｂと下側遮視部材６０の正面板６１の上端部６１ａとが透光板７０によって連結されているため、この透光板７０は、当然に、上側遮視部材６０の正面板６１の下端部６１ｂ及び背面板６２の下端部６２ｂに接する第１仮想平面Ｐ５と、下側遮視部材６０の正面板６１の上端部６１ａ及び背面板６２の上端部６２ａに接する第２仮想平面Ｐ６との双方に交差していることとなる。
【００３１】
さらに、本実施形態では、透光板７０に、上記第２実施形態と同様にして、その長手方向に長孔状に形成された複数の通風孔７１が、該長手方向に沿って２列を成して互い違いに（すなわち、千鳥状に）貫設されている。上下に互いに隣接する遮視部材６０，６０間に形成された空間６Ｃは、透光板７０によって、その上側に位置する第１空間６ｆと下側に位置する第２空間６ｇとに分割されているが、第１空間６ｆは、透光板７０に貫設された通風孔７１を通じて第２空間６ｇと連通している。すなわち、本実施形態においては、これら第１空間６ｆ、通風孔７１、及び第２空間６ｇが、通風部９Ｃを形成している。
【００３２】
このように、本実施形態においては、第１空間６ｆ、通風孔７１、及び第２空間６ｇによって通風部９Ｃが形成されているため、正面側の空間と背面側の空間との間において、十分な通風性が確保される。また、上下に互いに隣接する遮視部材６０，６０において、上側遮視部材６０の背面板６２の下端部６２ｂと下側遮視部材６０の正面板６１の上端部６１ａとが透光板７０によって連結されているため、正面側水平方向からの視線と同時に、正面側斜め上方から下方に見下ろす視線も可能な限り遮ることができ、しかも、正面側からの光を透光板７０を通じて背面側に採り入れることも可能となる。
【００３３】
以上、本発明に係る目隠し構造体の各実施形態について説明してきたが、本発明はこれら実施形態に限定されることなく、特許請求の範囲の趣旨を逸脱しない範囲で様々な設計変更が可能であることは言うまでもない。例えば、上記各実施形態においては、左右一対の縦枠３，３と、上下一対の横枠４，５とから成る枠部材２に遮視部材や透光板を架設しているが、上下方向に互いに平行を成して延びる３本以上の縦枠３間にそれらを架設してもよい。
【符号の説明】
【００３４】
１Ａ，１Ｂ，１Ｃ  目隠し構造体（目隠しパネル）
２                枠部材
３                縦枠
６Ａ，６Ｂ，６Ｃ  空間
９Ａ，９Ｂ，９Ｃ  通風部
１０，４０，６０  遮視部材
１１，４１，６１  正面板
１２，４２，６２  背面板
１３，４３，６３  連結板
３０，５０，７０  透光板
３５              隙間
４８，７１        通風孔
Ｐ１，Ｐ３，Ｐ５  第１仮想平面
Ｐ２，Ｐ４，Ｐ６  第２仮想平面
【図１】
0006669531.tif 000002
【図２】
0006669531.tif 000003
【図３】
0006669531.tif 000004
【図４】
0006669531.tif 000005
【図５】
0006669531.tif 000006
【図６】
0006669531.tif 000007